(57)【要約】      （修正有）【課題】従来のマスクは、シール方法が悪いため、花粉、ほこり、排気ガス等の微粒子を吸引してしまう。そして、顔が火照る。息苦しい。マスクが硬い。見苦しい等の問題があるため、健康な人が、仕事中や勉学中、通勤途上、気楽に付けるマスクが無かった。【解決手段】マスクのシール範囲を鼻の周辺のみに限定するために、マスク本体の内側上部にひさしを設け、垂直な立て壁を作って方形マスクを立体マスクに変えて、マスク上部をシールし、下部のシールは、シール材を入れた下部折り返しで鼻下と頬を覆い、これをマスク本体が押さえてシールした。このマスクに鼻当て布を付けて濾過機能部と排気機能部を設けた。【選択図】図２
2004329869.tif 000002
【特許請求の範囲】
【請求項１】
マスク本体の両側に耳掛け紐を備えた鼻のみを覆う方形マスクにおいて、マスク本体の上端を内側下方に折り曲げた上部折り返しと、下端を内側上方に折り曲げた下部折り返しの両端末が接するようにし、上部折り返しに弾力性あるシール材を入れ、マスク上端より数mm下がった所に、鼻を通る顔の略水平断面形状でマスク本体に縫い込んで、上部折り返しの下端にマスク本体に固定されないひさしを設け、このひさしをめくって鼻に装着したとき、小鼻横に立て壁を作って隙間を塞ぎ、下部折り返しに、３枚のシール材の端末を重ね合わせた物を入れ、鼻孔の略1/2の厚みにした下部折り返しが、鼻下と頬を覆い、この上部折り返しの立て壁と下部折り返しをマスク本体が上から押さえて鼻の周囲をシールしたことを特徴とする鼻マスク。
【請求項２】
請求項１よりなる鼻マスクのひさしをめくって出来た排気口が、マスク本体中央にあって、厚みが略４枚重ねの薄い層で作られた排気口中央に、略鼻巾、下開きの鼻当て布を、下部折り返しに挟んだ濾過機能部と両サイドに残った略４枚重ねの薄い層の排気機能部を備えたことを特徴とする鼻マスク。
【請求項３】
マスク本体の両側に耳掛け紐を備えた鼻のみを覆う方形マスクにおいて、マスク本体の上端を内側下方に折り曲げた上部折り返しと、下端を内側上方に折り曲げた下部折り返しの両端末が接するようにし、上部折り返しに弾力性あるシール材を入れ、マスク上端より数mm下がった所に、鼻を通る顔の略水平断面形状でマスク本体に縫い込んで、上部折り返しの下端にマスク本体に固定されないひさしを設け、このひさしをめくって鼻に装着したとき、小鼻横に立て壁を作って隙間を塞ぎ、下部折り返しに、３枚のシール材の端末を重ね合わせた物を入れ、鼻孔の略1/2の厚みにした下部折り返しが、鼻下と頬を覆い、この上部折り返しの立て壁と下部折り返しをマスク本体が上から押さえて鼻の周囲をシールしたマスクの下部に口覆いカバーを設けたことを特徴とする請求項２を含む鼻と口を覆うマスク。
【請求項４】
マスク本体両側に耳掛け紐を備えた鼻と口を覆うマスクにおいて、耳掛け紐を通す穴の中間に切欠き穴を設け、中間穴より上部に耳掛け上部紐と下部に耳掛け下部紐を設け、両方を同時に耳に掛けるようにした鼻と口を覆うマスク。
【請求項５】
マスク本体両側に耳掛け紐を備えた鼻と口を覆うマスクにおいて、耳掛け紐を通す穴の中間に切欠き穴を設け、1本のゴム紐を８の字に通して、耳掛け上部紐と耳掛け下部紐を同時に耳に掛けたとき、一方の耳掛け紐を強めると他方の耳掛け紐が弱まる構造を持った鼻と口を覆うマスク。
【請求項６】
マスク本体両側に耳掛け紐を備えた鼻と口を覆うマスクにおいて、耳掛け紐を通す穴の中間に切欠き穴を設け、一本のゴム紐を上から下に通した耳掛け紐を、中間穴から引き出し、耳掛け中央紐を形成して、耳掛け紐と耳掛け中央紐を同時に耳に掛けたとき、一方の耳掛け紐を強めると他方の耳掛け紐が弱まる構造を持った鼻と口を覆うマスク。
【発明の詳細な説明】
【技術分野】
【０００１】
この発明は、鼻の部分を重点的に覆い、花粉、ほこり、排気ガス等の微粒子が鼻孔に侵入するのを防止し、マスクをしながら普通に仕事や勉学、家事が出来るようにしたマスクに関するものである。
【背景技術】
【０００２】
一般的なマスクとして、左右両側に耳掛け紐を備え、マスク上端に屈曲自在な針金を入れた、シート状のマスクがある。これを装着した時、マスク本体は、鼻の部分で円弧状に曲がり、図２１に示す様に、鼻の両側に三角形の隙間が出来る。このため、マスク上部に針金を入れて、顔の形状に添わせて隙間をシールしている。しかし、喋ったり、口を動かすとマスクが動いたり、マスクが耳巾より広いため、マスクの両端が円弧状に変形し、隙間から外気が流れ込む。更に、図22の様に鼻孔が下向きなのに、マスクが略平行のため、マスクを通して排気されないため、呼気が内に篭りやすく、息苦しい。そして、口と鼻から出る熱で顔が火照って、不快になるという欠点があつた。針金によるシール方法を改善した物に、図２０の特開平１０−５３６０（特願平 8-159404 ）の衛生マスクがある。このマスクは、マスク本体の上部を２重に折り込み、外袋５２の先端に針金５３を入れてから両サイドを縫い込み、袋状にしている。装着時、２重袋を同時にめくって鼻にかけたとき、内袋５１の端末は、めくられた分だけ長さが足りなくなるため、図２１のようにマスク本体を湾曲させ、鼻背と頬で引っ張り合った三角形の隙間を作る。この隙間を埋めるため、外袋５２をめくって、上からカーテンを下ろすように縦壁を作り、先端の針金を押さえて、顔の形状に添わせて、シールしている。マスク下部については、袋状の折り返し５４をめくって顎に当て、下部をシールしている。このマスクは、シール部をマスク本体が押さえ、顎の部分で位置決めされるため、移動も無く、隙間も減ってシール性は良くなるが、上記の欠点は、残ったままである。又、三角の隙間を成形品でシールするものに、図２３に示す、市販のマスク上端に、スポンジ成形品を取り外し出来るようにしたマスクがある。この方法は、スポンジをマスク本体が上から押さえているため、上部への漏れはないが、マスク側面にスポンジ厚の段差が出来て横から漏れる。そして、スポンジの成形に手間がかかり、コストも高くつく。
【０００３】
鼻のみを包むマスクとしては、(1)医療用に酸素を強制的に送り込む物や(2)
鼻の穴にピースを入れて、ピースにガーゼや不織布を入れた物(3)鼻の立体形状を事前に作って顔面に両面テープで貼り付ける物(4)マスク本体の両端に耳掛け紐をセット鼻マスクが存在する。この(1)(2)(3)は、当発明と関連が薄いので対象から外し、(4)の耳掛けタイプに、図２４に示す実用新案登録第 3076663 （実願 2000-7002 ）のマスクがある。このマスクは、鼻覆い部７１の上端に息遮断部７２を設け、鼻に湿ったガーゼを当て、これを鼻覆い部７１で押さえるものがあり、取り付け方法、遮断方法の記載がないため詳細は不明だが、レース生地を上端を直線で縫いこんだものと思われる。このマスクは、マスク上端を直線で縫っているため、上辺のレース布をめくると板状のまま鼻の上に乗っかるだけで、高さが略 12mmある三角形の隙間をシールするのは難しい。更に、下部のシールがないため、巾の狭い鼻マスクでは、呼気が下部から漏れてしまう。図２５に示す特開２０００−３２２（特願平 10-168495 ）のマスクは、マスク本体上部を内側に折り両サイドを縫いこんだ袋状の鼻掛け部８２を設け、装着時に、袋をめくって鼻を覆うマスクがある。このマスクは、前述指摘したように図２１の三角形の隙間が出来てしまうため、上部のシールは出来ない。同じ願書の中に図２６に示す鼻の孔を覆うものがある。これは、マスク本体の内側に鼻掛け部８２と鼻塞ぎ部８３を設け、両サイドを縫いこんで袋状にした上下の袋をめくって、鼻と鼻孔をシールするものである。このマスクは、鼻掛け部のシール効果は前述と同様無いが、鼻塞ぎ部８３が鼻孔面を引っ張り上げる力でシールするため、ガーゼを通して呼吸できる良い方法である。しかし、鼻塞ぎ部が鼻孔に密着しすぎて、当てガーゼを入れると息苦しくなる。そして、鼻と鼻孔を覆う部分が外にはみ出し、見苦しいという欠点があった。
【０００４】
耳掛け紐に関しては、図２７の実用新案登録第３０８９４７２号（実願2002-2279 ）に耳掛け紐を２本設けたマスクがある。これは、従来の耳掛け主紐９２の上端に耳掛け上部紐９１を設けたものである。装着時、主紐と上部紐を耳に掛け、マスクしている人が鼻をかむとき、主紐を外し、マスクをつけたまま、鼻をかめるようにしたものである。また、点線のように耳掛け上部紐の変わりに耳掛け下部紐９３を設けたタイプもあるが、使い勝手は、上記と同一である。
【特許文献１】特開平１０−５３６０公報
【特許文献２】実用新案登録第３０７６６６３公報
【特許文献３】特開２０００−３２２公報
【特許文献４】実用新案登録第３０８９４７２公報
【発明の開示】
【発明が解決しようとする課題】
【０００５】
現在図２１に示す小鼻の横に出来る隙間をシールする主流は、変形自在な針金を入れて対応しているが、会話中にマスクが動いたり、両サイドに引っ張られて隙間が増えたりして、シール方法としては、万全でない。マスク内側に袋を設け、袋をめくってシールする方法は、マスクを変形させても、隙間のシールは出来ない。このように、マスク本体を利用して、小鼻横の隙間をシールする方法は、まだ確立されていない。
【０００６】
現状の方形マスクは、鼻孔とマスク本体が略平行になっているため、勢いのある呼気は、マスクを通して排出されず、マスク端末から排出され、吸気もマスク端末から吸入されるため、濾過機能が悪い。そして、勢いの無い呼気が、マスク内に篭って息苦しい。更に、鼻と口から出る熱で、マスク内が高温になり、顔が火照って思考力が低下する。そして、マスクをとっても、顔にマスクしている感じが残り不快である。
【０００７】
紙、不織布のマスクは、材質が硬いため、顔の出っ張ったところに当たり、顔になじまない。ガーゼ布が顔の凹凸を滑らかに覆う最良の素材であるが、現状のマスクは、マスク本体の厚みが厚く（略１６重折り）更に除菌シート等が装入されるため、板状に硬くなって、ガーゼ布の特性がいかされていない。
【０００８】
現状の鼻マスクは、シール部品や折り返しの袋が、マスクの外にはみ出し、見栄えが悪い。鼻と口を覆うマスクにおいても、耳掛け紐に引っ張られてマスク本体が、上下に丸くなり、皺がよって側面から外気が侵入する。そして、外観も見栄えが悪いという課題があった。
【課題を解決するための手段】
【０００９】
マスクを掛ける目的は、１つは、風邪をひいた人が、風邪を蔓延させない。くしゃみや咳、会話時の唾液の飛散を防ぐことと鼻孔の乾燥を防ぎ、症状の悪化を防ぐこと。２つは、健康な人が、花粉、痰、排気ガス、煙等の吸引予防すること。健康な人が使うマスクを検討すると、人は活動している時、鼻で息をし、口は閉じています。話すときは、息を吐くのみで吸引しません。従って、予防を目的とするマスクは、口までシールする必要は無く、鼻のみにすれば、話も出来、食事も出来、タバコも吸えて、日常使っても不便を感じない。風邪をひいた人のマスクにおいても、鼻マスクの延長で、口覆いカバーを鼻マスクの下に付ければ、上記の目的を達成できると考えた。
【００１０】
両側に耳掛け紐を備えた鼻を覆う方形マスクのシール性を上げるには、鼻マスク中央に排気口を設け、鼻の上下シール部をマスク本体が上から押さえ、シール形状を顔の凹凸に添うようにすれば、外気の侵入を防ぎ、鼻の周囲を密封できる。そして、鼻と口を覆う巾の広いマスクにおいては、鼻マスクの下側に口覆いカバーを設け、巾を狭めた２本の耳掛け紐を同時に掛けるようにすれば、マスクの変形も防ぎ、顔に密着するマスクが出来る。そこでまず、小鼻横に出来る三角形の隙間を無くすため、マスク内側上部をめくる袋の下に、マスク本体に固定されないひさしを設けた。図２のように上端より数mm下がった所より、鼻の高さxにひさし８の長さを加えた寸法でマスク内側に折りたたんだ上部折り返し２に、弾力性自在で剛性を備えたシール材９を入れ、マスク本体の外周を縫い込む。そして、上部折り返しの上辺を顔の略水平断面形状（６）で縫込んだとき、縫込み線の下側に出来るひさし８の両端に切れ込み７を入れ、マスク本体に固定されないひさし８を設ける。縫込み形状が直線の場合は、ひさしはめくれるだけで、シール性はないが、顔の水平断面形状で縫い付けると、顔に沿った立体形状に変形し、内臓シール材の復元力で小鼻横に垂直な立て壁を作り、立て壁の下にあるひさしが、顔に密着して、隙間をシールしてくれると考えた。例えば、図１５に示す鼻の頂点 d と両頬 e,f を結んだ三角形の先端を、鼻の高さ x でカットしたラインa で図２のように縫い付け、縫込み線の下側に出来るひさし８の両端に切れ込み７を入れたひさし８をめくって、顔に装着すると、マスク本体１は d-e-f を通る曲面に変形し、山形縫製ライン６は図１６のように直線になる。そして、図１８のようにひさし８は垂直に立ち、ひさし８の端末は圧縮されて波打つようになる。この水平部５が鼻のＲ部を覆い、鼻の高さ分 x 分の浪打ちが、鼻に添う縦壁を作り、図１７断面Ｅ−Ｇに示す小鼻横の隙間を塞ぎ、マスク本体に固定されてないフリーなひさし８が顔面をシールしてくれる。このシールを、マスク本体１が上から押さえてマスク上部の隙間を塞いでくれる。又、マスク下部のシールは、マスク下端から略1/3の巾で、鼻孔の略1/2の厚みで鼻下と頬を覆い、これをマスク本体１が上から押さえて隙間を塞ぐ。そして、下部折り返しに入れるシール材は、３つのピースに分けて端末を重ね合わせ（図4）、合わせ部が、鼻下、上顎の円弧と頬のラインが交わる窪みライン（図１５）に来るようにすれば、更にシール性が良くなると考えた。そして、上部折り返し２の縫込みラインを、上端からマスク巾の略1/3にすれば、折り返したひさしもマスク本体からはみださず、排気口もマスク本体中央に作られる。最後にマスク左右のシールは、マスクの全長を顔巾（ 130mm ）より長くして、顔の側面でシールする。そして、内蔵するシール材を顔巾にして、屈曲部の厚みを薄くしてやれば、マスク本体が、顔に添い隙間も無くなる。又、鼻と口を覆う巾広マスクは、耳掛け紐を略耳巾の２本に分け、これを同時に耳に掛ければ、マスクの変形を防ぎ、両側面の隙間も無くなり、隙間を塞ぐことが出来る。
【００１１】
マスクの息苦しさについては、呼気の排出過程を知る必要がある。呼気は、始めに、大容量で勢いのある呼気（約2/3）が一気に吐きだされ、続いて勢いのない呼気（約1/3）がゆっくり吐き出される。この勢いのない呼気が排出できず、息苦しくなる。この勢いのない呼気を排出出来るように、マスク本体を鼻孔に直角に近ずけ、厚みの薄い排出機能部を設け、内圧を上げて排出しやすくした。マスクを立てるため、ひさし内に弾力性あるナイロン生地のシール材を入れ、ひさしをめくったときの復元力で縦壁を作って対応した。そして、呼気が排出しやすいように、本体の折込を８重にし、ひさしをめくったとき、排気口は４重の薄さになるようにし、排気口センターに、略鼻巾、下開きの鼻当て布１４を、下部折り返し３（鼻孔の略 1/2 厚み）に挟んで鼻当て布の間に呼気を通す空間１４a （図８）を設け、排気機能部から勢いの無い呼気を排気するようにした。このマスクを装着して呼吸をすると、まず、大量の勢いのある呼気と吸気は、鼻孔に接した鼻当て布１４とマスク本体１からなる濾過機能部を通して吸排気され、勢いの無い呼気は、図１９のように下部折り返し３（鼻孔の略 1/2 厚み）の壁にあたって横に流れ、両側のマスク本体１の排気口から排気される。そして、排気口の巾をマスク巾の略1/3と面積を狭めて、瞬時に内圧を上げて排出しやすくした。確かに、マスク本体が薄いとマスクの濾過機能が失われるように思うが、鼻当て布の厚みで調整できると共に、マスクを通して吸排気できるため、従来のマスクより濾過機能は向上すると考えた。
【００１２】
羽毛のように軟らかく、装着してるのがわからないマスクを作るために、マスク本体を薄くして顔に馴染みやすくした。そして、肌をやさしく包むために、シール材の両面に植毛したリボンを使い、顔の凹凸を軟らかく包むようにした。そして、マスク全体の軟らかさを出すため、下部シール材をますく本体に縫い付けず中空に浮かし、浮き袋のように鼻下と頬を覆うようにした。
【００１３】
鼻マスクの格好を良くするために、ひさしをマスク端末より内側に入れ、めくったひさしが外にはみ出さないようにした。そして、マスク本体が綺麗な円弧を描くように、ひさし縫込み形状を図１５のラインa を選んだ。本来、ラインb で縫い込めば、マスク本体が顔の形状に添い隙間を減らすが、鼻の両側がへこみ見苦しいため、採用しなかった。
【００１４】
顔が火照らない対策として、吸排気口を鼻周辺のみに限定し、口から出る熱と呼気がマスク内に篭らないように、口覆いカバー部をオープンにしたり、緩めたりして、熱を発散できるようにした。このため、耳掛け紐を上部と下部耳掛け紐（図12）に分け、長さ調整しやすいようにマスク側面に中間穴を明け、1本の耳掛け紐を8の字に通したマスク（図12）や耳掛け紐を中間穴から引っ張り出した耳掛け中央紐（図14）を設けたマスクで対応した。
【発明の効果】
【００１５】
この発明の鼻マスクは、以上に述べたように構成されており、まず第一に、ひさしの立て壁と下部折り返しのシール部をマスク本体が押さえ、狭い範囲を確実にシールしたため、マスクを通過しない外気を吸ったり、呼気が漏れることも無くなった。更に、覆う範囲を鼻のみに限定し、シール範囲も狭くしたため顔の火照りもなくなった。第二に、マスク本体の排気口を排気しやすいように薄くし、鼻当て布を当てた濾過機能部と排気機能部に分けて、大量の勢いのある呼気吸気は、鼻当て部から、勢いのない呼気は、マスクの両サイドから抜けるようにしたことで、息苦しさが無くなり、仕事中も気にならなくなった。むしろ、鼻の部分が暖かいので、気力が増して仕事に集中できるほどである。第三に、素材に肌にやさしいガーゼ布と植毛リボンを使い、マスク本体も薄くし、装入品の縫い込みをやめて剛性部を無くしたため、顔をやさしく包む気持ち良いマスクになった。そして見栄えも、綺麗な曲線と方形が保たれ、電車内でつけても恥ずかしくなくなった。総括として、花粉症の人の意見では、家の中に花粉が有って、鼻が出てしょうがないとき、マスクをするとすぐ止まる。そして、鼻マスクをしながら、料理の味も見られ、話も出来るし、食事も出来て、とても便利だとのこと。このように、健康な人が、気軽に装着でき、簡単な方形マスクが立体マスクに変わり、コストも安く出来る有意義なものとなった。そして、鼻と口を覆うマスクにおいても、鼻マスクの効果と共に、耳掛け紐を複数にすることで、隙間をなくし、顔に吸い付くようなマスクでありながら、呼吸のしやすい、見栄えの良いマスクを作ることができた。
【発明を実施するための最良の形態】
【００１６】
実施例1  図１は、鼻マスク本体１を示し、ガーゼ布を図９のように折り込み、内部に上部シール材９、下部シール材１０を入れ、図１０に示す折込本体が出来る。この折込本体に側当てリボン１１を貼り付け、図2のようにマスク本体の外周４を縫い付ける。そして、上辺より数mm下がった所から水平縫製ライン５、山形縫製ライン６を縫ってひさし８を作り、ひさしの両サイドを縦にカット７し、耳掛け上部紐１３-１を通して鼻マスクが完成する。この内容を詳細に説明すると、図9の２a 部に両面植毛した 1.6mm厚、6mm巾のリボン３枚の端末を 20mm ずつ重ね合わせた 130mm長の下部シール材１０を入れ、下端から 15mm巾で4回巻き込むと下部折り返し３が作られる。上部折り返し２は、図９、b寸法で折りこんだc部に1.6mm厚、24mm巾、130mm長の上部シール材９を入れ、c寸法で巻き込むと、上端より 33mm の上部折り返し２が作られる。この上部折り返し２と下部折り返し３からなる図10の本体両側に、片面植毛した 0.6mm厚、24mm巾、48mm長の側当てリボン１１を本体に貼り付け、48mm巾、160mm長のマスク本体セット品が出来る。図2に示すセット品の外周４を縫い付ける際、下部シール材１０、上部シール材９がマスク本体１に縫いこまれないように位置調整してから縫い付け、マスク上端より略 10mm 下がった所に水平縫製ライン５と山形縫製ライン６でシール材とマスク本体を縫い付けて、ひさしの縫製ラインが出来る。この縫製ラインの下側に出来た袋の両端を縦に 7mm カット７すればひさし８が形成されてマスク本体１が出来る。このマスク本体１の両サイドに耳掛け上部紐１３-１を通して鼻マスクが完成する。このマスクに装入する図５の鼻当て布１４は、２つ折りしたガーゼ布を縦に３つ折り時、端末に 5mm の差を付けて上辺を縫いつけ、55mm長、高さ33mmと28mmの下開き鼻当て布１４が出来る。
【００１７】
このマスクを装着する際、まず、図７に示すひさし８の両端をめくると、マスク中央に4重の排気口が、その下に下部折り返し３の袋が現れる。この下部折り返しの袋に鼻当て布１４をはさみ込み、鼻当て布上端に鼻を当て、鼻孔を覆うようにして、耳掛け上部紐１３-１を両耳にかける。マスク本体を左右にゆすって山形縫製ラインを直線（図16）にすると、鼻の高さ x のひさしが頬に直角の立て壁を作り、フリーなひさしが顔に密着して上部をシールし、鼻孔の1/2の厚みの下部折り返し３が鼻下をシールする。そして、マスクの両側は頬骨で折れて側面をシールし、鼻の周囲が密封される。排気状況をみるため、たばこの煙で流れを調べた。勢いのある大量の煙はマスク本体中央から排気され、弱い煙は時間をおいて、マスクの両側から湯気のようにゆっくり立ち上るように出た。両側から出る煙は、僅かにメガネの外側を曇らせたが、呼吸の息苦しさも、空気の漏れも無かった。そして、マスクの外観は、綺麗な方形曲面が形成され、見栄えも良くなった。
【００１８】
実施例２  図１２に示す鼻と口を覆うマスクは、上記鼻マスクの下部折り返しの長さ15mmに口覆いカバー42mmを加えた57mmで図９のように4回折り込んで、鼻と口を覆うマスクセット品を作った。このセット品の両側に、0.6mm厚、24mm巾、90mm長の側当てリボン１１を両面テープ１２で貼り付け、リボンの上端より 45mm の所に耳掛け紐を通す切り込み（中間穴１６）を入れ、90mm巾、160mm長のマスク本体を作った。このマスク本体外周を図１２の２点差線で示す鼻マスクの外周縫製ラインに口覆いカバーを加えた外周縫製ライン４で縫い付けた後、鼻マスクと同様にひさし上辺の水平縫製ライン５、山形縫製ライン６を縫いこみ、袋の両サイドをカット７してマスク本体１が出来る。これに、耳掛け紐を上端より中間穴に出し、下端より中間穴に出す８の字に通して耳掛け上部紐１３-１と耳掛け下部紐１３-２を備えた鼻と口を覆うマスクが完成する。そして、口覆いカバーがオープンのマスクは、耳掛け下部紐１３-２を点線のように短くして、耳掛け上部紐１３-１のみを耳に掛けると出来上がる。図１４の耳掛け中央紐１３-３を備えたマスクは、上端から下端に耳掛け紐を通し、中間紐穴１６から耳掛け紐を引っ張り出すと耳掛け中央紐１３-３が形成される。
【００１９】
このマスクの装着方法は、前記の鼻マスクと同様ひさしをめくり、鼻当て布１４を下部折り返しに挟み込み、鼻当て布上端に鼻を当てて鼻孔を覆い、耳掛け上部紐１３-１と耳掛け下部紐１３-２を両耳に掛ける。そして、マスクの両サイドを持って、山形縫製ライン６を真っ直ぐにすると、ひさしが立て壁を作って立体的に鼻を密封し、下の口覆い部は、顔に沿って口を覆い、隙間も無くなったにもかかわらず、薄い口覆いカバーから排気されるため、熱も篭らず、息苦しさも無くなった。気になることは、鼻にわずか汗をかくことと、会話中の口周りがわずか動く程度であった。そして、マスク全体が動いたり、Ｒ形状に変形する隙間も無くなり、見栄えの良いマスクができた。そして、爽やかなマスクになったため、出かけるときは、マスクを付けるのが当たり前になった。
【図面の簡単な説明】
【００２０】
【図１】鼻マスクの表から見た平面図。
【図２】鼻マスクの裏から見た平面図
【図３】図２のＡ−Ａ断面図。
【図４】図２のB-B断面図。
【図５】鼻あて布の平面図。
【図６】図５のＣ−Ｃ断面図。
【図７】鼻マスクに鼻あて布をセットした平面図。
【図８】図７のＤ−Ｄ断面図。
【図９】鼻マスク折りたたみ手順図。
【図１０】鼻マスクの本体とリボンのセット方法を示す。
【図１１】鼻と口を覆うマスクの表から見た平面図。
【図１２】鼻と口を覆うマスクの裏から見た平面図。
【図１３】鼻と口を覆うマスクに鼻あて布をセットした断面図。
【図１４】鼻と口を覆うマスクに耳掛け中央紐をセットした図。
【図１５】顔の形状と縫いこみ形状を示す図。
【図１６】鼻マスクを装着した図。
【図１７】図１５のＥ−Ｆ，Ｅ−Ｇ，Ｅ−Ｈ断面図。
【図１８】ひさしをめくった時の斜視図。
【図１９】鼻マスクの呼気の流れを示す図。
【図２０】上面と下面の折り込みを示す衛生マスクの斜視図。
【図２１】図２０のマスクを装着したときの水平断面図。
【図２２】図２０のマスクを装着したときの垂直断面図。
【図２３】スポンジでシールしたマスクの斜視図。
【図２４】レースでシールした鼻マスクの斜視図。
【図２５】上の袋をめくった鼻マスクの斜視図。
【図２６】上と下の袋をめくった鼻マスクの斜視図。
【図２７】２本の耳掛け紐を示すマスクの平面図。
【符号の説明】
【００２１】
１  マスク本体
２  上部折り返し
３  下部折り返し
４  外周縫製ライン
５  水平縫製ライン
６  山形縫製ライン
７  カット
８  ひさし
９  上部シール材
１０  下部シール材
１１  側当てリボン
１２  両面テープ
１３  耳掛け紐
１３-１  耳賭け上部紐
１３-２  耳賭け下部紐
１３-３  耳掛け中央紐
１４  鼻当て布
１４a 空間
１５  口覆いカバー
１６  中間紐穴
５１  内袋
５２  外袋
５３  針金
５４  下部折り返し
６１  スポンジ
６２  取り付け冶具
７１  鼻覆い部
７２  レース生地
７３  ガーゼ部
８１  縫い糸
８２  鼻掛け部
８３  鼻塞ぎ部
９１  耳掛け上部紐
９２  耳掛け主紐
９３  耳掛け下部紐
【図１】
2004329869.tif 000003
【図２】
2004329869.tif 000004
【図３】
2004329869.tif 000005
【図４】
2004329869.tif 000006
【図５】
2004329869.tif 000007
【図６】
2004329869.tif 000008
【図７】
2004329869.tif 000009
【図８】
2004329869.tif 000010
【図９】
2004329869.tif 000011
【図１０】
2004329869.tif 000012
【図１１】
2004329869.tif 000013
【図１２】
2004329869.tif 000014
【図１３】
2004329869.tif 000015
【図１４】
2004329869.tif 000016
【図１５】
2004329869.tif 000017
【図１６】
2004329869.tif 000018
【図１７】
2004329869.tif 000019
【図１８】
2004329869.tif 000020
【図１９】
2004329869.tif 000021
【図２０】
2004329869.tif 000022
【図２１】
2004329869.tif 000023
【図２２】
2004329869.tif 000024
【図２３】
2004329869.tif 000025
【図２４】
2004329869.tif 000026
【図２５】
2004329869.tif 000027
【図２６】
2004329869.tif 000028
【図２７】
2004329869.tif 000029